(57)【要約】【課題】本発明は、ＲＦユニットを提供する。【解決手段】ＲＦユニットは、電力増幅モジュール（９）と、濾波モジュールと、信号コネクタ（１）とを備え、信号コネクタの一端（Ａ）が濾波モジュールに接続され、他端（Ｂ）が電力増幅モジュールに接続され、電力増幅モジュールに電力増幅コネクタ（２）が設置され、信号コネクタの電力増幅モジュールに接続される側に、電力増幅コネクタと信号コネクタを同軸アライメントさせるようにガイドするためのガイド構造が形成され、ガイド構造によって、電力増幅コネクタと信号コネクタが同軸接続される。該解決手段は、軸方向と径方向の公差が小さ過ぎるため、組み立て要求を満たすことができないという従来のＲＦユニットの組み立て過程における問題を解決する。電力増幅コネクタと信号コネクタを同軸アライメントさせるようにガイドするためのガイド構造によって、信号コネクタによる電力増幅モジュールと濾波モジュールとの接続を容易にし、従来の信号コネクタに比べて、コストが低く、空間を節約し、取り付け方式が柔軟的で、プロセスがシンプルであるという利点を有する。【選択図】図２
2017535183.tif 000002
【特許請求の範囲】
【請求項１】
ＲＦユニットであって、電力増幅モジュールと、濾波モジュールと、信号コネクタと、を備え、
前記信号コネクタの一端が前記濾波モジュールに接続され、他端が前記電力増幅モジュールに接続され、
前記電力増幅モジュールに電力増幅コネクタが設置され、前記信号コネクタの前記電力増幅モジュールに接続される側に、前記電力増幅コネクタと前記信号コネクタを同軸アライメントさせるようにガイドするためのガイド構造が形成され、前記ガイド構造によって、前記電力増幅コネクタと前記信号コネクタが同軸接続される、ＲＦユニット。
【請求項２】
前記ガイド構造は、前記信号コネクタの端面の外縁に形成される円弧状構造である請求項１に記載のＲＦユニット。
【請求項３】
前記ガイド構造は、前記信号コネクタの端面の外縁に沿って前記信号コネクタの端面に形成され、内縁に勾配を持っている突起構造である請求項１に記載のＲＦユニット。
【請求項４】
前記信号コネクタが信号ピンであり、前記信号ピンは、オス側と、ピン本体と、弾性部材と、前記信号ピンを固定するための固定部材とを備え、
前記固定部材が前記ピン本体を被覆し、前記弾性部材が前記ピン本体の内部に設置され、前記ピン本体の一端に開口部が設置され、前記オス側の尾部が円弧面であってかつ前記開口部を通して前記弾性部材と接触し、前記オス側の頭部に前記円弧状構造が設置され、前記オス側と前記開口部との間に、所定の隙間がプリセットされる請求項２に記載のＲＦユニット。
【請求項５】
前記電力増幅コネクタは、尾部が前記電力増幅モジュールの信号出力端に接続される信号穴である請求項２又は４に記載のＲＦユニット。
【請求項６】
前記信号コネクタが信号穴であり、前記信号穴は、穴本体と、メス側と、前記穴本体を固定するための固定部材とを備え、
前記固定部材が前記穴本体を被覆し、前記穴本体の一端が前記メス側の尾部に接続され、前記メス側の頭部に前記突起構造が設置される請求項３に記載のＲＦユニット。
【請求項７】
前記電力増幅コネクタは、尾部が前記電力増幅モジュールの信号出力端に接続される信号ピンである請求項３又は６に記載のＲＦユニット。
【請求項８】
前記信号コネクタは、一端が前記濾波モジュールの信号入力端に直接接続される請求項１〜３のいずれか１項に記載のＲＦユニット。
【請求項９】
前記ＲＦユニットは、信号伝送の接地側であってかつ遮蔽機能を有する外部導体をさらに備え、前記外部導体は、金属遮蔽層と、前記金属遮蔽層と前記電力増幅モジュールとの間に設置される導電性ゴム環とを備える請求項１〜３のいずれか１項に記載のＲＦユニット。
【請求項１０】
前記金属遮蔽層は、濾波モジュール・キャビティと、濾波モジュール・カバープレートとを備え、又は、前記金属遮蔽層は、濾波モジュール・キャビティを備え、
前記導電性ゴム環は、前記濾波モジュール・キャビティ又は濾波モジュール・カバープレートに、直接設置又は接着剤塗布によって設置される請求項９に記載のＲＦユニット。
【発明の詳細な説明】
【技術分野】
【０００１】
本発明は、通信装置分野に関し、特にＲＦユニットに関する。
【背景技術】
【０００２】
基地局通信装置のうち、ＲＦユニットは、主に無線信号の送受信に用いられ、キャリア周波数処理モジュール、電力増幅モジュール、及び濾波モジュールなどを備え、キャリア周波数処理モジュールと濾波モジュールが、小信号ＲＦコネクタによって相互接続され、ＲＦ信号を送受信することに用いられ、電力増幅モジュールと濾波モジュールが、大信号ＲＦコネクタによって相互接続され、大電力信号を伝送することに用いられる。
【０００３】
図１は、従来のＲＦユニットの構造模式図であり、図１に示されるように、従来のＲＦユニットでは、電力増幅モジュールと濾波モジュールとの間の大信号ＲＦコネクタが高価であり、電力容量がシステムの設計要求を満たすことができず、損失が大き過ぎ且つ占用面積が大き過ぎ、軸方向と径方向の公差が小さ過ぎるため、組み立て要求を満たすことができないという問題が存在している。
【発明の概要】
【発明が解決しようとする課題】
【０００４】
本発明は、組み立て過程において軸方向と径方向の公差が小さ過ぎ、組み立て要求を満たすことができないという従来のＲＦユニットに存在する問題を解決するＲＦユニットを提供する。
【課題を解決するための手段】
【０００５】
上記の課題を解決するために、本発明は、
電力増幅モジュールと、濾波モジュールと、信号コネクタとを備え、
前記信号コネクタの一端が前記濾波モジュールに接続され、他端が前記電力増幅モジュールに接続され、
前記電力増幅モジュールに電力増幅コネクタが設置され、前記信号コネクタの前記電力増幅モジュールに接続される側に、前記電力増幅コネクタと前記信号コネクタを同軸アライメントさせるようにガイドするためのガイド構造が形成され、前記ガイド構造によって、前記電力増幅コネクタと前記信号コネクタが同軸接続されるＲＦユニットを提供する。
【０００６】
本発明の一実施例では、前記ガイド構造は、前記信号コネクタの端面の外縁に形成される円弧状構造である。
【０００７】
本発明の一実施例では、前記ガイド構造は、前記信号コネクタの端面の外縁に沿って前記信号コネクタの端面に形成され、内縁に勾配を持っている突起構造である。
【０００８】
本発明の一実施例では、前記信号コネクタが信号ピンであり、前記信号ピンは、オス側と、ピン本体と、弾性部材と、前記信号ピンを固定するための固定部材とを備え、
前記固定部材が前記ピン本体を被覆し、前記弾性部材が前記ピン本体の内部に設置され、前記ピン本体の一端に開口部が設置され、前記オス側の尾部が円弧面であってかつ前記開口部を通して前記弾性部材と接触し、前記オス側の頭部に前記円弧状構造が設置され、前記オス側と前記開口部との間に、所定の隙間がプリセットされる。
【０００９】
本発明の一実施例では、前記電力増幅コネクタは、尾部が前記電力増幅モジュールの信号出力端に接続される信号穴である。
【００１０】
本発明の一実施例では、前記信号コネクタが信号穴であり、前記信号穴は、穴本体と、メス側と、前記穴本体を固定するための固定部材とを備え、
前記固定部材が前記穴本体を被覆し、前記穴本体の一端が前記メス側の尾部に接続され、前記メス側の頭部に前記突起構造が設置される。
【００１１】
本発明の一実施例では、前記電力増幅コネクタは、尾部が前記電力増幅モジュールの信号出力端に接続される信号ピンである。
【００１２】
本発明の一実施例では、前記信号コネクタは、一端が前記濾波モジュールの信号入力端に直接接続される。
【００１３】
本発明の一実施例では、前記ＲＦユニットは、信号伝送の接地側であってかつ遮蔽機能を有する外部導体をさらに備え、前記外部導体は、金属遮蔽層と、前記金属遮蔽層と前記電力増幅モジュールとの間に設置される導電性ゴム環とを備える。
【００１４】
本発明の一実施例では、前記金属遮蔽層は、濾波モジュール・キャビティと、濾波モジュール・カバープレートとを備え、又は、前記金属遮蔽層は、濾波モジュール・キャビティを備え、
前記導電性ゴム環は、前記濾波モジュール・キャビティ又は濾波モジュール・カバープレートに、直接放置又は接着剤塗布によって設置される。
【発明の効果】
【００１５】
本発明の有益な効果は、以下のとおりである。
【００１６】
本発明は、電力増幅コネクタと信号コネクタを同軸アライメントさせるようにガイドするためのガイド構造によって、信号コネクタによる電力増幅モジュールと濾波モジュールとの接続に便利なＲＦユニットを提供し、従来の信号コネクタに比べて、コストが低く、大電力を受けることができ、ポートの定在波比が小さく、挿入損失が低く、周波数帯が広く、空間を節約し、取り付け方式が柔軟的であり、プロセスがシンプルであるという利点を有し、加工精度が高く、デバイスの一致性が高く、加工性に優れ、一般的なＰＣＢ（Ｐｒｉｎｔｅｄ  Ｃｉｒｃｕｉｔ  Ｂｏａｒｄ、プリント回路基板）シートに適用でき、ＳＭＴ（Ｓｕｒｆａｃｅ  Ｍｏｕｎｔ  Ｔｅｃｈｎｏｌｏｇｙ、表面実装技術）加工プロセスで一次成形され、量産に適する。また、ＲＦ回路基板に溶接されることでＲＦ回路基板におけるマイクロストリップラインに接続されることによって、ＲＦ回路基板におけるマイクロストリップラインと外部装置との接続、すなわち信号の伝送を実現し、標準アダプタによって、新型のＲＦコネクタとデュプレクサのキャビティにおける対応した導電性領域とをつながり、異なる構造形態の標準アダプタを用いて、転送方式を柔軟的に設計することができる。
【図面の簡単な説明】
【００１７】
【図１】従来のＲＦユニットの構造模式図である。
【図２】本発明の実施例１の構造模式図であり、（ａ）は信号コネクタの構造模式図、（ｂ）と（ｃ）はそれぞれ電力増幅コネクタの水平方向と垂直方向の構造模式図である。
【図３】（ａ）と（ｂ）はそれぞれ本発明の実施例１に係るＲＦユニットの組み立て過程の断面模式図である。
【図４】（ａ）と（ｂ）はそれぞれ本発明の実施例１に係るＲＦユニットの組み立て過程の断面模式図である。
【図５】本発明の実施例２の構造模式図であり、（ａ）は信号コネクタの構造模式図、（ｂ）と（ｃ）は電力増幅コネクタの水平方向と垂直方向の構造模式図である。
【図６】（ａ）と（ｂ）はそれぞれ本発明の実施例２に係るＲＦユニットの組み立て過程の断面模式図である。
【図７】（ａ）と（ｂ）はそれぞれ本発明の実施例２に係るＲＦユニットの組み立て過程の断面模式図である。
【発明を実施するための形態】
【００１８】
以下、本発明の実施例における図面を参照しながら、本発明の実施例における解決手段を明確で完全に説明する。勿論、説明する実施例は、本発明の実施例の一部に過ぎず、全部の実施例ではない。本発明における実施例に基づき、当業者が創造性を発揮しない前提で取得したすべての他の実施例は、いずれも本発明の保護範囲に属する。
【００１９】
以下、図面とともに具体的な実施形態に基づき、本発明をより詳細に説明する。
【００２０】
ＲＦユニットの組み立て過程において組み立て要求を満たすために、本発明は、電力増幅モジュールと、濾波モジュールと、信号コネクタとを備え、該信号コネクタの一端が濾波モジュールに接続され、すなわち濾波モジュール側に大信号コネクタが設置され、信号コネクタの他端が電力増幅モジュールに接続されることによって、信号コネクタによって濾波モジュールと電力増幅モジュールとを接続し、電力増幅モジュールに電力増幅コネクタが設置され、信号コネクタが電力増幅コネクタによって電力増幅モジュールに接続され、信号コネクタと電力増幅コネクタの組み立て過程において組み立て要求を満たすために、信号コネクタの電力増幅モジュールに接続される側にガイド構造が形成され、信号コネクタを電力増幅コネクタに接続する時、該ガイド構造が電力増幅コネクタと信号コネクタを同軸アライメントさせるようにガイドすることができ、該ガイド構造によって、電力増幅コネクタと信号コネクタが同軸接続され、すなわち許容差設計によって信号コネクタが電力増幅モジュールにおける電力増幅コネクタとのブラインドメイティングを実現することで、組み立て要求を満たするＲＦユニットを提供する。該電力増幅モジュールが電力増幅ＰＣＢであってもよく、濾波モジュールがフィルターであってもよい。
【００２１】
実施例１
図２（ａ）は本発明の実施例１に係る信号コネクタの構造模式図であり、図２（ａ）に示されるように、濾波モジュール側に該信号コネクタ１が設置され、該信号コネクタ１の濾波モジュールに接続される側Ａの形状と構造がメーカーによって自己設計可能であり、該信号コネクタ１の電力増幅モジュールに接続される側Ｂに形成されるガイド構造が円弧状構造ａであり、該円弧状構造ａが該信号コネクタ１の端面の外縁に形成され、例えば、端面の外縁にフィレットが設置され、更に、該円弧状構造ａの半径が大きければ大きいほど、端面にドームを設置することに近似し、該円弧状構造ａによって、信号コネクタと電力増幅コネクタが同軸接続される。
【００２２】
上記解決手段において、該信号コネクタ１は、オス側１１と、ピン本体１２と、弾性部材１３と、固定部材１４とを備える信号ピンである。ここで、オス側１１、ピン本体１２は銅柱であってもよく、該固定部材１４はピン本体１２を被覆し、該信号ピンを固定することに用いられ、弾性部材１３はピン本体１２内に設置され、軸方向、径方向の公差を増加することに用いられ、オス側１１の頭部に円弧状構造ａが設置され、ピン本体１２の一端に開口部が設置され、オス側１１の円弧面である尾部が開口部を通して弾性部材１３と接触し、オス側１１と開口部との間に所定の隙間がプリセットされ、ピン本体１２の他端が濾波モジュールに接続され、その形状と構造がメーカーによって自己設計可能である。
【００２３】
図２（ｂ）、２（ｃ）はそれぞれ本発明の実施例１に係る電力増幅コネクタの水平方向、垂直方向の構造模式図であり、図２（ｂ）、２（ｃ）に示されるように、それぞれ電力増幅コネクタ２の水平方向及び垂直方向での構造を示し、該電力増幅コネクタ２がメス側であり、電力増幅モジュール９（図３（ｂ）参照）側に該電力増幅コネクタ２が設置され、該電力増幅コネクタ２が信号穴であり、該信号穴の頭部にガイド溝が設置され、尾部が電力増幅モジュール９の信号出力端に接続される。
【００２４】
図３（ａ）、３（ｂ）は本発明の実施例１に係るＲＦユニットの組み立て過程の断面模式図であり、図４（ａ）、４（ｂ）は本発明の実施例１に係るＲＦユニットの組み立て過程の断面模式図であり、図３（ａ）、３（ｂ）、図４（ａ）、４（ｂ）に示されるように、上記信号コネクタ（信号ピン）１、電力増幅コネクタ（信号穴）２に基づき、該ＲＦユニットの組み立て過程は以下のとおりである。まず、濾波モジュール側に、信号ピンの尾部が大信号伝送線として濾波モジュールの信号入力端に直接接続され、その形状と構造が濾波モジュールのキャビティによって自己設計又は自由に変更することができ、信号ピンのオス側に円弧状構造が設置され、信号ピン内の弾性部材が軸方向、径方向の公差を増加することに用い得る。次に、電力増幅モジュール側に、信号穴の尾部を電力増幅モジュールの信号出力端に接続し、例えば信号穴の尾部を電力増幅ＰＣＢの出力信号線に溶接し、信号穴の頭部にガイド溝を設置し、該ガイド溝の形状が略ボウル状であり、軸方向の公差を増加することに用い得る。最後に、電力増幅モジュールを濾波モジュールに直接設置し、該円弧状構造が電力増幅コネクタと信号コネクタを同軸位置合わせ、且つ電力増幅コネクタと信号コネクタを嵌合するようにガイドし、これで電力増幅コネクタと信号コネクタの同軸接続が済み、すなわち許容差設計によって信号コネクタと電力増幅モジュールにおける電力増幅コネクタとのブラインドメイティングが迅速に実現され、軸方向と径方向の公差が小さ過ぎることによって組み立て要求を満たすことができないという問題を解決する。
【００２５】
上記解決手段において、信号コネクタ１と電力増幅コネクタ２がＲＦユニットのインナーコアを構成し、該ＲＦユニットは、信号伝送の接地側として使うことができ、かつ遮蔽機能を有する外部導体をさらに備え、該外部導体は、金属遮蔽層３と、金属遮蔽層３と電力増幅モジュールとの間に設置される導電性ゴム環４とを備え、該金属遮蔽層３が濾波モジュール・キャビティ３１と、濾波モジュール・カバープレート３２とを備えてもよく、又は、該金属遮蔽層３が濾波モジュール・キャビティ３１のみを備えてもよく、該導電性ゴム環４が導電性Ｏリングである場合、濾波モジュール・キャビティ３１又は濾波モジュール・カバープレート３２に直接設置されることができ、該導電性ゴム環４が接着剤塗布によって構成される場合、濾波モジュール・キャビティ３１又は濾波モジュール・カバープレート３２に接着剤塗布によって設置されることができる。なお、本実施例では、外部導体は信号コネクタ及び電力増幅コネクタのグラウンド層とすることができ、ＲＦ連接ロッド等の遮蔽層を別途設置する必要がない。上記組み立て過程を参照し、図３（ａ）、３（ｂ）と４（ａ）、４（ｂ）の区別についは、図３（ａ）、３（ｂ）において、該ＲＦユニットの外部導体が濾波モジュール・カバープレート３２を備え、導電性ゴム環４が該濾波モジュール・カバープレート３２に設置され、図４（ａ）、４（ｂ）において、該ＲＦユニットの外部導体がフィルターカバープレート３２を備えず、導電性ゴム環４が該濾波モジュール・キャビティに設置される。
【００２６】
本実施例は、電力増幅コネクタと信号コネクタを同軸アライメントさせるようにガイドするための円弧状構造によって、信号コネクタによる電力増幅モジュールと濾波モジュールとの接続を容易にし、従来の信号コネクタに比べて、コストが低く、空間を節約し、取り付け方式が柔軟的であり、プロセスがシンプルであるという利点を有するＲＦユニットを提供する。
【００２７】
実施例２
図５（ａ）は本発明の実施例２に係る信号コネクタの構造模式図であり、図５（ａ）に示されるように、濾波モジュール側に該信号コネクタ５が設置され、該信号コネクタ５の濾波モジュールに接続される側Ｃの形状と構造がメーカーによって自己設計可能であり、該信号コネクタ５の電力増幅モジュールに接続される側Ｄに形成されるガイド構造は突起構造ｂであり、該突起構造ｂの内縁に勾配を持ち、該勾配の方向が外へ向かい、該突起構造ｂの信号コネクタ５に沿う端面外縁が該信号コネクタ５の端面に形成され、例えば、該端面がガイド機能を有する十字形又は他の形状に設計され、これによって軸方向、径方向の公差を増加することに用いられ、該突起構造ｂによって、信号コネクタと電力増幅コネクタが同軸接続される。
【００２８】
上記解決手段において、該信号コネクタ５は、穴本体５１と、メス側５２と、固定部材５３とを備える信号穴である。穴本体５１、メス側５２が銅柱であってもよく、該固定部材５３が穴本体５１を被覆し、該信号穴を固定することに用いられ、穴本体５１の一端がメス側５２の尾部に接続され、穴本体５１の他端が濾波モジュールに接続され、その形状と構造がメーカーによって自己設計可能であり、メス側５２の頭部に突起構造ｂが設置される。
【００２９】
図５（ｂ）、５（ｃ）は本発明の実施例２に係る電力増幅コネクタの水平方向、垂直方向の構造模式図であり、図５（ｂ）、５（ｃ）に示されるように、それぞれ電力増幅コネクタ６の水平方向及び垂直方向での構造を示し、該電力増幅コネクタ６がオス側であり、電力増幅モジュール９（図６（ｂ）参照）側に信号ピンである電力増幅コネクタ６が設置され、該信号穴の尾部が電力増幅モジュールの信号出力端に接続され、例えば電力増幅モジュール９の信号出力端に溶接される。
【００３０】
図６（ａ）、６（ｂ）は本発明の実施例２に係るＲＦユニットの組み立て過程の断面模式図であり、図７（ａ）、７（ｂ）は本発明の実施例２に係るＲＦユニットの構造の断面模式図であり、図６（ａ）、６（ｂ）、図７（ａ）、７（ｂ）に示されるように、上記信号コネクタ（信号穴）５、電力増幅コネクタ（信号ピン）６に基づき、該ＲＦユニットの組み立て過程は以下のとおりである。まず、濾波モジュール側に、信号穴の尾部が大信号伝送線として濾波モジュールの信号入力端に直接接続され、その形状と構造が濾波モジュールのキャビティによって自己設計又は自由に変更することができ、信号穴の頭部に突起構造が設置され、すなわち信号穴の頭部端面がガイド機能を有する十字形又は他の形状に設計され、これによって軸方向、径方向の公差を増加することに用いられる。次に、電力増幅モジュール側に、信号ピンの尾部を電力増幅モジュールの信号出力端に接続し、例えば信号ピンの尾部を電力増幅ＰＣＢの出力信号線に溶接する。最後に、電力増幅モジュールを濾波モジュールに直接設置し、該突起構造が電力増幅コネクタと信号コネクタを同軸位置合わせ、且つ電力増幅コネクタと信号コネクタを嵌合するようにガイドし、これで電力増幅コネクタと信号コネクタの同軸接続が済み、すなわち許容差設計によって信号コネクタと電力増幅モジュールにおける電力増幅コネクタとのブラインドメイティングを迅速に実現し、軸方向と径方向の公差が小さ過ぎることで組み立て要求を満たすことができないという問題を解決する。
【００３１】
上記解決手段において、信号コネクタ５と電力増幅コネクタ６がＲＦユニットのインナーコアを構成し、該ＲＦユニットは、信号伝送の接地側として使うことができ、かつ遮蔽機能を有する外部導体をさらに備え、該外部導体は、金属遮蔽層７と、金属遮蔽層７と電力増幅モジュールとの間に設置される導電性ゴム環８とを備え、該金属遮蔽層７が濾波モジュール・キャビティ７１と、濾波モジュール・カバープレート７２とを備えてもよく、又は、該金属遮蔽層７が濾波モジュール・キャビティ７１のみを備えてもよく、該導電性ゴム環８が導電性Ｏリングである場合、濾波モジュール・キャビティ７１又は濾波モジュール・カバープレート７２に直接設置されることができ、該導電性ゴム環８が接着剤塗布によって構成される場合、濾波モジュール・キャビティ７１又は濾波モジュール・カバープレート７２に接着剤塗布によって設置される。なお、本実施例において、外部導体は信号コネクタ及び電力増幅コネクタのグラウンド層とすることができ、さらなるＲＦ連接ロッド等の遮蔽層を設置する必要がなく、本実施例において、インナーコア、外部導体はいずれも許容差設計を用いることができ、電力増幅モジュールと濾波モジュールが相互に接続する時の締まり嵌めを満たし、それにより高信頼性のブラインドメイティングを実現する。上記組み立て過程を参照し、図６（ａ）、６（ｂ）と７（ａ）、７（ｂ）の区別については、図６（ａ）、６（ｂ）において、該ＲＦユニットの外部導体が濾波モジュール・カバープレート７２を備え、導電性ゴム環８が該濾波モジュール・カバープレート７２に設置され、図７（ａ）、７（ｂ）において、該ＲＦユニットの外部導体がフィルターカバープレート７２を備えず、導電性ゴム環８が該濾波モジュール・キャビティに設置される。本実施例において、インナーコア、外部導体はいずれも許容差設計を用いることができ、電力増幅モジュール及び濾波モジュールが相互に接続する時の締まり嵌めを満たし、それにより高信頼性のブラインドメイティングを実現する。
【００３２】
本実施例は、電力増幅コネクタと信号コネクタを同軸アライメントさせるようにガイドするための突起構造によって、信号コネクタによる電力増幅モジュールと濾波モジュールとの接続を容易にし、従来の信号コネクタに比べて、コストが低く、空間を節約し、取り付け方式が柔軟的で、プロセスがシンプルであるという利点を有するＲＦユニットを提供する。
【００３３】
以上の内容は、具体的な好ましい実施形態を参照しながら本発明をより詳細に説明するものであり、本発明の具体的な実施形態がそれらの説明のみに制限されると考えられない。本発明の属する技術分野の当業者にとって、本発明の構想を逸脱せずに、行った様々な簡単な推断又は置換は、いずれも本発明の保護範囲に属すると見なされるべきである。
【産業上の利用可能性】
【００３４】
本発明に係るＲＦユニットは、電力増幅コネクタと信号コネクタを同軸アライメントさせるようにガイドするためのガイド構造によって、信号コネクタによる電力増幅モジュールと濾波モジュールとの接続を容易にし、従来の信号コネクタに比べて、コストが低く、大電力を受けることができ、ポートの定在波比が小さく、挿入損失が低く、周波数帯が広く、空間を節約し、取り付け方式が柔軟的で、プロセスがシンプルであるという利点を有し、加工精度が高く、デバイスの一致性が高く、加工性に優れ、一般的なＰＣＢシートに適用でき、ＳＭＴ加工プロセスで、一次成形され、量産に適する。また、ＲＦ回路基板に溶接することによってＲＦ回路基板におけるマイクロストリップラインに接続し、これによってＲＦ回路基板におけるマイクロストリップラインと外部装置との接続を実現し、すなわち信号の伝送を実現し、標準アダプタによって新型のＲＦコネクタとデュプレクサキャビティの対応した導電性領域とをつながり、異なる構造形態の標準アダプタを用いて、転送方式を柔軟的に設計することができる。
【図１】
2017535183.tif 000003
【図２】
2017535183.tif 000004
【図３】
2017535183.tif 000005
【図４】
2017535183.tif 000006
【図５】
2017535183.tif 000007
【図６】
2017535183.tif 000008
【図７】
2017535183.tif 000009
【国際調査報告】
2017535183.tif 000010
2017535183.tif 000011
2017535183.tif 000012
2017535183.tif 000013